(57)【特許請求の範囲】
【請求項１】
ユーザの操作に応じて、使用する用紙のサイズを指定するサイズ指定部と、用紙を収納する用紙トレイと、該用紙トレイから用紙を送出する用紙送出部と、該用紙送出部によって送出された用紙の通過を検知するセンサと、前記用紙送出部によって送り出された用紙上に画像を形成する画像形成部と、前記用紙送出部によって送り出された用紙が排出される排出トレイとを有する画像形成装置において、
前記用紙送出部による、前記用紙トレイからの用紙送出動作開始時点から該用紙トレイからの用紙送出動作停止時点までの用紙送出時間を計測するタイマと、
前記センサからの検知信号に基づき、前記用紙送出部によって送出された用紙のサイズを測定し、その測定されたサイズと前記サイズ指定部により指定された指定サイズとを比較して該送出された用紙が該指定サイズと合致するか否かを判定するサイズ判定部と、
前記サイズ判定部による判定の結果、前記測定されたサイズが前記指定サイズよりも大きい場合には、該送出された用紙を前記排出トレイに排出するように制御し、前記測定されたサイズが前記指定サイズよりも小さい場合には、前記用紙送出部による用紙送出動作実行中か否かを判定して該用紙送出動作実行中の場合に該用紙送出動作を停止させ、該送出された用紙を前記排出トレイに排出するとともに該測定されたサイズと前記タイマにより計測された前記用紙送出時間とに基づき該送出された用紙に続く後続用紙が前記用紙トレイから送り出されたか否かを判定し、該判定により該後続用紙が前記用紙トレイから送出されたと判定されたときには該後続用紙の直前に送出された用紙を前記排出トレイに排出するとともに、前記測定されたサイズと前記タイマにより計測された用紙送出時間とに基づいて該後続用紙送出完了に要する送出動作残時間を求めて前記用紙送出部に該送出動作残時間だけ用紙送出動作を実行させて該後続用紙を前記排出トレイに排出するように制御し、該判定により該後続用紙が前記用紙トレイから送出されていないと判定されたときには該後続用紙の直前に送出された用紙を前記排出トレイに排出するように制御する制御部とを備えたことを特徴とする画像形成装置。 
【発明の詳細な説明】
【技術分野】
【０００１】
本発明は、用紙トレイから送出された用紙上に画像を形成する画像形成装置に関する。
【背景技術】
【０００２】
従来、用紙トレイから送出された用紙上に画像を形成する画像形成装置において、用紙サイズミスマッチと呼ばれるトラブル、すなわちユーザが指定した用紙サイズと、実際に用紙トレイから送出された用紙のサイズとがマッチしないために用紙ジャムなど種々のトラブルを起こすことがある。
【０００３】
このような用紙サイズミスマッチによるトラブルを防止するために、用紙トレイから送出された用紙のサイズを検知する用紙サイズ検知手段、およびその用紙サイズ検知手段により検知した用紙サイズと、ユーザが指定した用紙サイズとを比較するサイズ比較手段を設け、サイズ比較の結果上記双方のサイズが一致しない場合には複写動作を停止させるようにした複写機が開示されている（例えば、特許文献１参照。）。
【０００４】
また、用紙サイズミスマッチが検知されたときにユーザに用紙サイズミスマッチが発生した旨の警告を発するととともに画像形成動作を停止させるようにした画像形成装置が開示されている（例えば、特許文献２参照。）。
【特許文献１】特開昭６２−０８３９４４号公報（第１−３頁、図１，２）
【特許文献２】特開２００２−２９６９８０号公報（第２−３頁、図２，３）
【発明の開示】
【発明が解決しようとする課題】
【０００５】
しかし、上記の複写機や画像形成装置では、用紙サイズミスマッチを検知したときに複写動作や画像形成動作を停止させるようになっているが、次に示すようなトラブルを起こすことがある。例えば、ユーザが指定した用紙サイズよりも実際に用紙トレイに収納された用紙サイズの方が短かかったときに、用紙トレイから用紙を送出するフィードロールは、ユーザからの指定に基づき用紙トレイから長いサイズの用紙を送出しようとするが、実際に用紙トレイに収納されて用紙サイズは短いのでその短いサイズの用紙を送出するとともに後続の用紙の送出を開始してしまう。従って、ここで１枚目の用紙が用紙サイズミスマッチであることが検知されそれに基づき複写動作や画像形成動作を停止させたとしても、後続用紙の先端が用紙トレイから送出された状態となっているために、ユーザが用紙トレイを抽き出そうとすると用紙挟み込みが発生してしまう。
【０００６】
図７は、従来の画像形成装置における用紙サイズミスマッチ発生前の用紙の状態を示す図である。
【０００７】
図７に示す従来の画像形成装置９０には、用紙Ｐを収納する用紙トレイ９１、用紙トレイ９１から用紙Ｐを送出するフィードロール９２、送出された用紙の通過を検知するレジストセンサ９３、送出された用紙を所定のタイミングで後方に搬送させるレジストロール９４、搬送されてきた用紙上に画像を形成する画像形成ドラム９５、用紙上に形成された画像を定着させる定着装置９６、定着画像が形成された用紙が排出される排出トレイ９７、およびユーザの操作に応じて、使用される用紙のサイズが指定されるサイズ指定部９８が備えられている。サイズ指定部９８でのサイズ指定は、操作パネルからの指示または用紙トレイのセンサでの検知等で行う。
【０００８】
図７には、サイズ指定部９８により用紙サイズはＡ３縦サイズに指定されているにもかかわらず、用紙トレイ９１内に実際にセットされている用紙ＰはＡ４横サイズである例が示されている。
【０００９】
図８は、図７に示す画像形成装置の用紙トレイから１枚目の用紙が送出されている状態を示す図である。
【００１０】
図８には、フィードロール９２によって用紙トレイ９１から１枚目の用紙Ｐ１が送出され、レジストセンサ９３によって用紙Ｐ１の先端の通過が検知された状態が示されている。
【００１１】
図９は、図７に示す画像形成装置の用紙トレイから１枚目の用紙に続き２枚目の用紙が送出された状態を示す図である。
【００１２】
図９には、レジストセンサ９３によって１枚目の用紙Ｐ１の後端の通過が検知された状態が示されている。この画像形成装置９０では、サイズ指定部９８によって用紙サイズはＡ３縦サイズに指定されているので、レジストセンサ９３によりＡ４横用紙Ｐ１の後端の通過が検知された時点で用紙サイズミスマッチの発生が検知される。
【００１３】
ところで、この画像形成装置は用紙トレイ９１にＡ３縦用紙が装着されているものと認識しており、フィードロール９２はＡ３縦用紙を送出するのに必要な時間だけ回転を続けるので、図示のように２枚目の用紙Ｐ２の先端が用紙トレイ９１から送出される。この状態で、用紙サイズミスマッチの発生に気付いたユーザが確認のために用紙トレイ９１を抽き出そうとすると用紙挟み込みが発生することとなる。
【００１４】
本発明は、上記事情に鑑み、用紙サイズミスマッチによるトラブルの発生が防止された画像形成装置を提供することを目的とする。
【課題を解決するための手段】
【００１５】
上記課題を解決する本発明の画像形成装置は、
ユーザの操作に応じて、使用する用紙のサイズを指定するサイズ指定部と、用紙を収納する用紙トレイと、該用紙トレイから用紙を送出する用紙送出部と、該用紙送出部によって送出された用紙の通過を検知するセンサと、上記用紙送出部によって送り出された用紙上に画像を形成する画像形成部と、上記用紙送出部によって送り出された用紙が排出される排出トレイとを有する画像形成装置において、
上記センサからの検知信号に基づき、上記用紙送出部によって送出された用紙のサイズを測定し、その測定されたサイズと上記指定サイズとを比較して該送出された用紙が該指定サイズと合致するか否かを判定するサイズ判定部と、
上記サイズ判定部による判定の結果、上記測定されたサイズが上記指定サイズよりも大きい場合には、該送出された用紙を上記排出トレイに排出するように制御し、上記測定されたサイズが上記指定サイズよりも小さい場合には、該送出された用紙を上記排出トレイに排出するとともに、上記指定サイズと上記用紙送出部が用紙を送出するに費やした時間とに基づき該送出された用紙に続く後続用紙が上記用紙トレイから送り出されたか否かを判定し、該判定により該後続用紙が上記用紙トレイから送出されたと判定されたときには該後続用紙の直前に送出された用紙とともに該後続用紙を上記排出トレイに排出するように制御し、該判定により該後続用紙が上記用紙トレイから送出されていないと判定されたときには該後続用紙の直前に送出された用紙を上記排出トレイに排出するように制御する制御部とを備えたことを特徴とする。
【００１６】
本発明の画像形成装置によれば、用紙サイズミスマッチが発生したときに、用紙トレイから排紙トレイにいたる用紙搬送路上に残留した用紙が排出されるので、用紙トレイを抽き出す際の用紙挟み込みなどのトラブルが回避され、画像形成装置の稼働率を向上させることができる。
【００１７】
ここで、上記制御部は、上記サイズ判定部による判定の結果、上記送出された用紙が上記指定サイズと合致しなかったときには、上記画像形成部による用紙上への画像形成を行うことなしに用紙を上記排出トレイに排出するように制御するものであることが好ましい。
【００１８】
本発明の画像形成装置を上記のように構成した場合は、用紙サイズミスマッチが発生したときに、ミスマッチ用紙上に不必要な画像形成を行わずに済ますことができる。
【００１９】
また、上記排出トレイとは異なる第２の排出トレイを備え、
上記制御部は、上記サイズ判定部による判定の結果、上記送出された用紙が上記指定サイズと合致しなかったときには、用紙を上記第２の排出トレイに排出するように制御するものであることも好ましい。
【００２０】
本発明の画像形成装置を上記のように構成した場合は、用紙サイズミスマッチが発生したときに、用紙トレイから排紙トレイに至る用紙搬送路上に残留した用紙が排出されるので、ユーザの用紙取り除き時の利便性を向上させることができる。
【００２１】
また、上記制御部による制御に基づき、上記用紙トレイから送出された用紙が上記排出トレイに排出された場合に、その旨を表示する表示部を備えたものであることも好ましい態様の一つである。
【００２２】
本発明の画像形成装置を上記のように構成した場合は、用紙サイズミスマッチが発生したときに、ユーザに的確な情報を迅速に提供することができる。
【００２３】
また、この画像形成装置がホストコンピュータに接続され、該ホストコンピュータとの交信のもとに動作するものであって、上記制御部による制御に基づき上記用紙トレイから送出された用紙が上記排出トレイに排出された場合に、その旨を上記ホストコンピュータに送信する送信部を備えたものであることも好ましい態様の一つである。
【００２４】
本発明の画像形成装置を上記のように構成した場合は、用紙サイズミスマッチが発生したときに、ホストコンピュータのユーザに的確な情報を迅速に提供することができる。
【００２５】
また、上記制御部は、上記送出された用紙が上記排出トレイに排出された後に、実行中のＪＯＢとは別のＪＯＢを受け付け可能となるよう制御するものであることも好ましい態様の一つである。
【００２６】
本発明の画像形成装置を上記のように構成した場合は、用紙サイズミスマッチが発生したときに、用紙トレイから排紙トレイに至る用紙搬送路上に残留した用紙が排出され、次の新たな画像形成動作のためのサイズ指定操作を受け付けることが可能となり、画像形成装置の稼働率を向上させることができる。
【００２７】
また、この画像形成装置が、内部に収納される用紙サイズを自在に設定することのできるサイズ設定手段を備えた複数の用紙トレイを有するものであり、
上記制御部は、上記用紙トレイから送出された用紙が上記排出トレイに排出された後に、上記指定サイズと同じサイズが、該用紙トレイ以外の用紙トレイのサイズ設定手段によって設定済みであるか否かを判定し、判定の結果指定サイズと同じサイズが設定済みであるときは、該設定済みの用紙トレイからの用紙送出し、および該用紙送出し以降の一連の処理を開始するように制御するものであることも好ましい態様の一つである。
【００２８】
本発明の画像形成装置を上記のように構成した場合は、用紙サイズミスマッチが発生したときに、自動的に、使用可能な用紙トレイからの用紙送出し、および該用紙送出し以降の一連の処理が開始されるので、画像形成装置の稼働率を向上させることができる。
【発明の効果】
【００２９】
以上説明したように、本発明によれば、用紙サイズミスマッチによるトラブルが防止された画像形成装置を実現することができる。
【発明を実施するための最良の形態】
【００３０】
以下図面を参照して本発明の画像形成装置の実施の形態を説明する。
【００３１】
図１は、本発明の画像形成装置の第１の実施形態を示す概略構成図である。
【００３２】
図１に示すように、この画像形成装置１０には、用紙Ｐが収納される、抽き出し式の用紙トレイ１１、用紙トレイ１１から用紙Ｐを送出するフィードロール１２、送出された用紙の通過を検知するレジストセンサ１３、送出された用紙を所定のタイミングで後方に搬送するレジストロール１４、搬送されてきた用紙上に画像を形成する画像形成ドラム１５、用紙上に形成された画像を用紙に定着させる定着装置１６、定着画像が形成された用紙が排出される排出トレイ１７、およびこの画像形成装置１０に備えられた操作卓（図示せず）によるユーザからの操作に応じて、使用される用紙のサイズが指定されるサイズ指定部１８が備えられている。
【００３３】
なお、この実施形態におけるフィードロール１２は、本発明にいう用紙送出部の一部に相当するものであり、また、この実施形態におけるレジストセンサ１３は、本発明にいう用紙の通過を検知するセンサに相当するものであり、また、この実施形態における画像形成ドラム１５は、本発明にいう画像形成部の一部に相当するものである。
【００３４】
さらに、この画像形成装置１０には、次に説明するサイズ判定部１９および制御部２０が備えられている。サイズ指定部１８での用紙サイズ指定は、操作パネルからの指定または用紙トレイのセンサでの検知等で行う。
【００３５】
サイズ判定部１９は、レジストセンサ１３からの検知信号に基づき、フィードロール１２によって送出された用紙のサイズを測定し、その測定されたサイズとサイズ指定部１８により指定された指定サイズとを比較して該送出された用紙が該指定サイズと合致するか否かを判定するものである。
【００３６】
制御部２０は、サイズ判定部１９による判定の結果、上記測定されたサイズが上記指定サイズよりも大きい場合には、該送出された用紙を排出トレイ１７に排出するように制御し、上記測定されたサイズが上記指定サイズよりも小さい場合には、該送出された用紙を排出トレイ１７に排出するとともに、前記指定サイズとフィードロール１２が用紙を送出するに費やした時間とに基づき該送出された用紙に続く後続用紙が用紙トレイ１１から送り出されたか否かを判定し、該判定により該後続用紙が用紙トレイ１１から送出されたと判定されたときには該後続用紙の直前に送出された用紙とともに該後続用紙を排出トレイ１７に排出するように制御し、該判定により該後続用紙が前記用紙トレイから送出されていないと判定されたときには該後続用紙の直前に送出された用紙を前記排出トレイに排出するように制御するものである。
【００３７】
さらにこの制御部２０は、サイズ判定部１９による判定の結果、送出された用紙が指定サイズと合致しなかったときには、画像形成部による用紙上への画像形成を行うことなしに用紙を排出トレイ１７に排出するように制御するように構成されている。
【００３８】
またこの画像形成装置１０には、上記制御部２０による制御に基づき、用紙トレイ１１から送出された用紙が排出トレイ１７に排出された場合に、その旨を上記操作卓の表示装置に表示する表示部２１を備えている。
【００３９】
また、上記制御部２０は、送出された用紙が排出トレイ１７に排出された後に、操作パネルまたはホストコンピュータからの新たなＪＯＢを受け付けるよう制御するように構成されている。すなわち、この画像形成装置１０では、用紙サイズミスマッチが検知されると制御部２０は画像形成動作を停止させ、ミスマッチ用紙を排出トレイ１７に排出した後には、制御部２０は操作パネルまたはホストコンピュータからの新たなＪＯＢを受け付けるように制御を行う。
【００４０】
これにより用紙サイズミスマッチが発生しても用紙トレイから排紙トレイに至る用紙搬送路上に残留した用紙を自動的に排出し、他の用紙トレイに設定サイズと同一サイズの用紙がある場合には自動的にその用紙トレイを使用して画像形成動作を継続することにより、画像形成装置の稼働率を向上させることができる。
【００４１】
図２および図３は、第１の実施形態の画像形成装置の動作を示すフローチャートである。
【００４２】
図２に示すように、この画像形成装置により画像形成動作が開始されると、先ず用紙送出処理が行われる。すなわち、フィードロール１２（図１参照）をオンにし、制御部２０内に設けられたフィードロール回転時間監視タイマ２０ａをオンにすると共に、フィードロール停止タイマ２０ｂをオンにする（ステップＳ０１）。
【００４３】
フィードロール回転時間監視タイマ２０ａはフィードロール１２がオンになった時刻からオフとなった時刻までのフィードロール回転時間を監視する。
【００４４】
フィードロール停止タイマ２０ｂには、サイズ指定部１８（図１参照）で指定された用紙の送出に要する時間が設定されている。
【００４５】
フィードロール回転時間監視タイマ２０ａがオンになってから、フィードロール停止タイマ２０ｂに設定された時間が経過するとフィードロール停止タイマ２０ｂはタイムアウトとなり（ステップＳ０２）、フィードロール１２はオフされ、フィードロール回転時間監視タイマ２０ａもオフとされる。ここで、フィードロール回転時間監視タイマ２０ａのオン時刻とオフ時刻とからフィードロール回転時間が算出され、算出されたフィードロール回転時間は所定のメモリに記憶される（ステップＳ０３）。
【００４６】
一方、フィードロール１２がオンになり用紙トレイ１１から用紙Ｐが送出されて用紙先端がレジストセンサ１３に到達すると、図３に示すように、レジストセンサ１３がオンとなり、同時に、制御部２０内に設けられた用紙サイズ検知タイマ２０ｃがオンとなる（ステップＳ０４）。次に用紙Ｐの後端がレジストセンサ１３を通過するとレジストセンサ１３はオフとなり、レジストセンサＯＦＦ処理が開始される。すなわち、用紙サイズ検知タイマをオフとし、用紙サイズ検知タイマのオンからオフまでの経過時間に基づき用紙サイズの測定を行いそのサイズ測定値は所定のメモリに記憶される（ステップＳ０５）。
【００４７】
次に、上記サイズ測定値と、サイズ指定部１８により指定された指定サイズの値とを比較することにより用紙トレイから送出された用紙が指定サイズと合致するか否かの判定処理が行われる（ステップＳ０６）。すなわち、サイズ測定値と指定サイズとを比較し、両者が一致しているか否かに応じて用紙サイズミスマッチが発生したか否かを判定する（ステップＳ０７）。判定の結果、両者が一致している場合には用紙サイズミスマッチが発生していないと判断され、正常処理（ステップＳ０８）が続けられる。
【００４８】
判定の結果、両者が一致していない場合は用紙サイズミスマッチが発生したと判断し、次に、その用紙サイズミスマッチが「短過ぎミスマッチ」、すなわち測定サイズの方が指定サイズよりも小さいミスマッチか、あるいは「長過ぎミスマッチ」、すなわち測定サイズの方が指定サイズよりも大きいミスマッチかを判定する（ステップＳ０９）。
【００４９】
ステップＳ０９における判定の結果、「長過ぎミスマッチ」である場合にはステップＳ１０へ進み、ミスマッチ用紙の排出処理が行われる。すなわち、この場合には、用紙トレイ１１から「長い」用紙Ｐが送出され、レジストセンサ１３の後端を通過した後、画像形成ドラム１５により画像形成が済んでいる。しかし、その画像形成された用紙はユーザが指定した用紙よりも長く、正常な画像形成出力ではないので排出トレイ１７に排出される。
【００５０】
ステップＳ０９における判定の結果、「短過ぎミスマッチ」である場合にはステップＳ１１へ進む。
【００５１】
ステップＳ１１では、フィードロール１２が回転中であるか否かが判定される。
【００５２】
ステップＳ１１における判定の結果、フィードロール１２が回転中ではない場合にはステップＳ１３へ進む。
【００５３】
ステップＳ１１における判定の結果、フィードロール１２が回転中である場合にはステップＳ１２へ進む。ステップＳ１２では、フィードロール１２の回転を停止させ、フィードロール回転時間監視タイマをオフとし、フィードロール回転時間監視タイマに記憶されたオン・オフ時刻からフィードロール回転時間を求め、それを所定のメモリに記憶し、次にステップＳ１３に進む。
【００５４】
ステップＳ１３では、ステップＳ０３で記憶されたフィードロール回転時間に基づいて用紙サイズを算出し算出された用紙サイズと、ステップＳ０５で記憶されたサイズ測定値とを比較し、その比較の結果から後続用紙（２枚目）が用紙トレイから送出されたか否かを判定する（ステップＳ１４）。
【００５５】
すなわち、フィードロール回転時間から算出された用紙サイズの方が、上記サイズ測定値よりも小さい場合には、後続用紙は用紙トレイから送出されていないと判定してステップＳ１０に進み、前述のようにミスマッチ用紙（１枚目）の排出処理が行われる。
【００５６】
一方、フィードロール回転時間から算出された用紙サイズの方が、上記サイズ測定値よりも大きい場合には、後続用紙が用紙トレイから送出されたと判定し、ステップＳ１５におけるミスマッチ用紙（１枚目）および後続用紙（２枚目）の排出処理が行われる。すなわち１枚目のミスマッチ用紙を排出し、ステップＳ０５で記憶されたサイズ測定値から用紙送出分に相当する分を差し引いた時間だけフィードロール１２を駆動して２枚目の後続用紙を送出し、ステップＳ０５で記憶されたサイズ測定値に従った用紙送出制御を行って２枚目の後続用紙を排出トレイ１７に排出する。
【００５７】
このようにして、「短過ぎミスマッチ」が発生したときには、その用紙サイズミスマッチを起こしたミスマッチ用紙を排出し、「長過ぎミスマッチ」が発生したときに、サイズミスマッチを起こした１枚目のミスマッチ用紙に続き、２枚目の後続用紙を排出する制御が行われる。これにより、用紙サイズミスマッチ発生後にユーザが用紙トレイ内の用紙を確認するために用紙トレイを抽き出したときの用紙の挟み込みが防止される。
【００５８】
このように、本実施形態の画像形成装置１０は、用紙サイズミスマッチを検出するための専用のセンサを追加することなしに、用紙サイズミスマッチ発生時に用紙トレイから排紙トレイに至る用紙搬送路上に残留した用紙を排出するように制御するので、ユーザが用紙を抽き出したときの用紙挟み込みが防止され、操作性のよい画像形成装置を実現することができる。
【００５９】
次に、第２の実施形態について説明する。
【００６０】
図４は、第２の実施形態の画像形成装置を示す概略構成図である。
【００６１】
図４に示すように、この第２の実施形態の画像形成装置１０’は、通常の排出トレイ１７とは異なる第２の排出トレイ１７’と、サイズ判定部による判定の結果、前記送出された用紙が前記指定サイズと合致しなかったときには、用紙を前記第２の排出トレイに排出するように制御する制御部２２とを備えている。
【００６２】
この第２の排出トレイ１７’および制御部２２を備えたことにより、用紙サイズミスマッチが発生したときに、ミスマッチ用紙および／または後続用紙を、通常の排出トレイ１７とは異なる第２の排出トレイ１７’に排出することによりユーザの用紙取り除き時の利便性を向上させることが可能となり、またミスマッチ用紙および後続用紙は誤って送出された用紙であり正常な画像形成は行われていないのでこれに対する課金を行わないように制御することも可能である。
【００６３】
図５は、第３の実施形態の画像形成装置を示す概略構成図である。
【００６４】
図５に示すように、この第３の実施形態の画像形成装置３０は、内部に収納される用紙サイズを自在に設定することのできるサイズ設定手段（図示せず）を備えた複数の用紙トレイ３１，３２，３３，…を有するものであり、制御部３４は、いずれかの用紙トレイから送出した用紙が排出トレイ１７に排出された後に、指定サイズと同じサイズが、上記送出した用紙トレイ以外の用紙トレイのサイズ設定手段によって設定済みであるか否かを判定し、判定の結果指定サイズと同じサイズが設定済みであるときは、その設定済みの用紙トレイからの用紙送出し、および用紙送出し以降の一連の処理を開始するように制御するものとして構成されている。
【００６５】
このように構成したことにより、用紙サイズミスマッチが発生したときに使用可能な用紙トレイからの用紙送出し、および該用紙送出し以降の一連の処理が自動的に開始されるので、画像形成装置の稼働率を向上させることができる。
【００６６】
図６は、第４の実施形態の画像形成装置を示す概略構成図である。
【００６７】
図６に示すように、この第４の実施形態の画像形成装置４０は、この画像形成装置４０がホストコンピュータ４２に接続され、該ホストコンピュータ４２との交信のもとに動作するものであって、制御部２０による制御に基づき用紙トレイ１１から送出された用紙が排出トレイ１７に排出された場合に、その旨をホストコンピュータ４２に送信する送信部４１を備えている。
【００６８】
このように構成したことにより、用紙サイズミスマッチが発生したときに、また、ミスマッチ用紙および／または後続用紙が排出されたときに、その旨をホストコンピュータ４２に通知しそのディスプレイ上に表示することで、ホストコンピュータ４２のユーザに的確な情報を迅速に提供することができる。
【図面の簡単な説明】
【００６９】
【図１】本発明の画像形成装置の第１の実施形態を示す概略構成図である。
【図２】第１の実施形態の画像形成装置の動作を示すフローチャートの一部である。
【図３】第１の実施形態の画像形成装置の動作を示すフローチャートの一部である。
【図４】第２の実施形態の画像形成装置を示す概略構成図である。
【図５】第３の実施形態の画像形成装置を示す概略構成図である。
【図６】第４の実施形態の画像形成装置を示す概略構成図である。
【図７】従来の画像形成装置における用紙サイズミスマッチ発生前の用紙の状態を示す図である。
【図８】図７に示す画像形成装置の用紙トレイから１枚目の用紙が送出されている状態を示す図である。
【図９】図７に示す画像形成装置の用紙トレイから１枚目の用紙に続き２枚目の用紙が送出された状態を示す図である。
【符号の説明】
【００７０】
１０，１０’，３０，４０，５０    画像形成装置
１１    用紙トレイ
１２    フィードロール
１３    レジストセンサ
１４    レジストロール
１５    画像形成ドラム
１６    定着装置
１７，１７’    排出トレイ
１８    サイズ指定部
１９    サイズ判定部
２０    制御部
２０ａ    フィードロール回転時間監視タイマ
２０ｂ    フィードロール停止タイマ
２０ｃ    用紙サイズ検知タイマ
２１    表示部
２２    制御部
３１，３２，３３    用紙トレイ
３４    制御部
４１    送信部
４２    ホストコンピュータ
９０    画像形成装置
９１    用紙トレイ
９２    フィードロール
９３    レジストセンサ
９４    レジストロール
９５    画像形成ドラム
９６    定着装置
９７    排出トレイ
９８    サイズ指定部
【図１】
0004735107.tif 000002
【図２】
0004735107.tif 000003
【図３】
0004735107.tif 000004
【図４】
0004735107.tif 000005
【図５】
0004735107.tif 000006
【図６】
0004735107.tif 000007
【図７】
0004735107.tif 000008
【図８】
0004735107.tif 000009
【図９】
0004735107.tif 000010